(57)【特許請求の範囲】
【請求項１】
互いに異なる波長の光を射出する複数の光源と、
前記複数の光源から射出された光が入射され、側面から漏光させることのできる光ファイバとを備え、
前記複数の光源は、
前記光ファイバの光入射端面に対して同一の入射角度で光を入射させた場合において、前記光ファイバ内における減衰率が高い光を射出する第一光源と、前記第一光源よりも減衰率が低い光を射出する第二光源とを備え、
前記第一光源から射出された光の前記光ファイバの光入射端面における入射角度が、前記第二光源から射出された光の前記光ファイバの光入射端面における入射角度よりも小さくなるように配置されていることを特徴とする光ファイバ装置。
【請求項２】
前記複数の光源は、当該複数の光源から射出された光の前記光ファイバ内における減衰率が相互に等しくなるように配置されていることを特徴とする請求項１に記載の光ファイバ装置。
【請求項３】
前記複数の光源は、互いに異なる色の可視光を射出する光源で構成されていることを特徴とする請求項１又は２に記載の光ファイバ装置。
【請求項４】
前記光ファイバは、プラスチック製又はガラス製の光ファイバであることを特徴とする請求項１〜３のいずれか１項に記載の光ファイバ装置。
【請求項５】
前記複数の光源から射出された光を集光して前記光ファイバの光入射端面に導く光学系を備えたことを特徴とする請求項１〜４のいずれか１項に記載の光ファイバ装置。
【発明の詳細な説明】
【技術分野】
【０００１】
本発明は光ファイバ装置に関し、特に光ファイバ側面からの漏れ光を利用する光ファイバ装置に関する。
【背景技術】
【０００２】
従来、光ファイバの側面からの漏れ光を照明等に利用する技術が存在する（例えば、特許文献１参照）。また、このように側面から光を漏れさせることのできる光ファイバについては、例えば特許文献２等に記載がある。この特許文献２によれば、光損失を小さくするために、光ファイバに対してできるだけまっすぐ光を入射することで明るさを均一に保つことが開示されている。
【先行技術文献】
【特許文献】
【０００３】
【特許文献１】特開２０００−１４０５７９号公報
【特許文献２】特開平７−８４１２８号公報
【発明の概要】
【発明が解決しようとする課題】
【０００４】
本発明者らの鋭意研究によれば、光ファイバ内において白色光を生成すべく、赤、緑、青の各色の半導体レーザ素子からの光を光ファイバに入射させると、光ファイバ内における光入射端面側から光軸方向に離れるに連れ光ファイバ内における発光色が異なることを確認した。このような場合、光軸方向に関して色が変化してしまうため、例えばこの光ファイバを側面発光を利用した照明に用いると、場所に応じて光の色が異なってしまい、照明における色ムラが生じる。
【０００５】
なお、光源としては、半導体レーザ素子に限らず、ＬＥＤ素子等の特定の波長域の光を射出する光源を用い、各光源から射出される光の波長を異ならせて光ファイバ内において混合する場合において、同様の問題が生じることが確認された。
【０００６】
本発明は、上記の課題に鑑み、波長の異なる複数の光源からの射出光を光ファイバ内で混合する場合において、光ファイバ内における発光色の変化を抑制した光ファイバ装置を実現することを目的とする。
【課題を解決するための手段】
【０００７】
本発明の光ファイバ装置は、
互いに異なる波長の光を射出する複数の光源と、
前記複数の光源から射出された光が入射され、側面から漏光させることのできる光ファイバとを備え、
前記複数の光源は、
前記光ファイバの光入射端面に対して同一の入射角度で光を入射させた場合において、前記光ファイバ内における減衰率が高い光を射出する第一光源と、前記第一光源よりも減衰率が低い光を射出する第二光源とを備え、
前記第一光源から射出された光の前記光ファイバの光入射端面における入射角度が、前記第二光源から射出された光の前記光ファイバの光入射端面における入射角度よりも小さくなるように配置されていることを特徴とする。
【０００８】
本発明者らの鋭意研究により、光ファイバ内における光の減衰率は、当該光ファイバに入射される光の波長だけでなく、当該光ファイバの光入射端面における光の入射角度に応じて異なることを見出した。この点は、「発明を実施するための形態」の項で後述される。
【０００９】
ここで、光ファイバの光入射端面に対して同一の入射角度で光を入射させた場合において、当該光ファイバ内における減衰率が高い光（上記にいう「第一光源」からの射出光に対応）というのは、光ファイバ内を進行するに連れて光の漏れ又は吸収の程度が大きく、減衰しやすい性質を有しているものと考えられる。他方、光ファイバの光入射端面に対して同一の入射角度で光を入射させた場合において、当該光ファイバ内における減衰率が低い光（上記にいう「第二光源」からの射出光）というのは、前述の光と比べて光ファイバ内を進行する間に吸収や漏れの程度が小さく、前記第一光源からの射出光に比べて減衰しにくい性質を有しているものと考えられる。
【００１０】
そして、上記光ファイバ装置においては、光ファイバ内で減衰しやすい光については、光ファイバの光入射端面における入射角度が小さくされる一方、光ファイバ内で減衰しにくい光については、光ファイバの光入射端面における入射角度が大きくされる。これにより、両者の光ファイバ内における減衰率を相互に近づけることができ、従来よりも光軸方向に係る色ムラが抑制される。
【００１１】
この理由としては、以下の点が推察される。光ファイバの光入射端面における入射角度を小さくして光を入射させた場合と、入射角度を大きくして光を入射させた場合とを比べると、光軸方向に係る同一の距離だけ光ファイバ内を進行するために、実際に光ファイバ内で反射を繰り返しながら進行した光の進行距離は、後者よりも前者の方が短い。つまり、上記の構成によれば、光ファイバ内で減衰しやすい光については光ファイバ内における実際の進行距離を短くし、光ファイバ内で減衰しにくい光については光ファイバ内における実際の進行距離を前者よりも長くすることになる。これにより、光ファイバ内において光軸方向に係る所定の距離を進行させるまでの、前記２つの光の減衰の程度を近づけることができるため、光軸方向に係る光ファイバ内の発光色の変化が抑制される。
【００１２】
なお、上記の構成において、複数の光源が「第一光源」と「第二光源」を備えるものとしているが、これは光源の数が２つである場合を限定して指しているものではなく、複数の光源のうち、ある光源（これが第二光源であってもよい）と比べて光ファイバ内で減衰しやすい光を射出する光源を「第一光源」と定義し、この第一光源と比べて光ファイバ内で減衰しにくい光を射出する光源を「第二光源」と定義したものである。つまり、前記複数の光源は、光ファイバ内における減衰のしやすさに差が生じるような異なる光を射出する構成である。
【００１３】
ここで、複数の光源の配置位置を調整することで、各光源から射出される光の入射角度を調整して、複数の光源から射出された光の光ファイバ内における減衰率を相互に等しくするものとしても構わない。
【００１４】
ここで、減衰率を相互に等しくするとは、光軸方向に係る光ファイバ内の発光色を等しくすることと等価である。そして、発光色が等しいとは、各色をＣＩＥのｘｙ色度図上に表した場合に、マクアダムの楕円で３ステップ以内に含まれることを意味するものとしても構わない。かかる構成によれば、光軸方向に関して光ファイバからの発光色が肉眼上で均一化された光ファイバ装置が実現される。
【００１５】
前記複数の光源は、互いに異なる色の可視光を射出する光源で構成されているものとして構わない。一例としては、複数の光源として、赤色光（Ｒ）を射出する光源、緑色光（Ｇ）を射出する光源、及び青色光（Ｂ）を射出する光源を用いることができる。この場合、光ファイバ内において白色光が生成されて側面から射出される。ただし、本発明は白色光を光ファイバの側面から射出する場合に限られるものでないことは言うまでもない。例えば青色光を射出する光源と緑色光を射出する光源を用いて、シアンに近い色の光を生成して光ファイバの側面から射出する場合においても本発明の技術を適用することができる。
【００１６】
各光源としては、ランプ等のように広い波長域の光を射出するものではなく、半導体レーザ素子やＬＥＤ素子を初めとする狭い波長域の光を射出する光源が想定される。
【００１７】
前記光ファイバは、プラスチック製又はガラス製の光ファイバで構成されているものとしても構わない。
【００１８】
「発明を実施するための形態」の項で後述されるが、プラスチック製ファイバと、ガラス製ファイバでは、波長に応じて光ファイバ内における光の減衰のしやすさ（しにくさ）が異なる性質を示す。これらの光ファイバについて、上記の構成を実現することで、光軸方向に係る光ファイバ内での発光色の色ムラが抑制される。
【００１９】
なお、上記構成において、前記複数の光源から射出された光を集光して前記光ファイバの光入射端面に導く光学系を備えるものとしても構わない。
【発明の効果】
【００２０】
本発明の光ファイバ装置によれば、波長の異なる複数の光源からの射出光を光ファイバ内で混合する場合において、光ファイバ内での光軸方向に係る発光色の変化を抑制することができる。
【図面の簡単な説明】
【００２１】
【図１】本実施形態の光ファイバ装置を模式的に示すブロック図の一例である。
【図２】光ファイバ装置において、光学系の光入射端面を光軸方向に見た時の各光源から射出された光の入射位置を模式的に示す図面である。
【図３】図２の場合における、光ファイバの光入射端面での各射出光の入射角度を模式的に示す図面である。
【図４】検証に用いた装置を模式的に示すブロック図である。
【図５】光源部２から赤色光のみを射出させた場合と緑色光のみを射出させた場合のそれぞれにおいて、光ファイバ側面の測定箇所別の輝度の変化をプロットしたグラフである。
【図６】図５を曲線で近似したグラフである。
【発明を実施するための形態】
【００２２】
本発明の光ファイバ装置について図面を参照して説明する。なお、各図において図面の寸法比と実際の寸法比は必ずしも一致しない。
【００２３】
図１は、本実施形態の光ファイバ装置を模式的に示すブロック図の一例である。光ファイバ装置１は、複数の光源（２１，２２，２３）を含む光源部２と、光源部２から射出された光が入射される光ファイバ１３とを備える。なお、以下では、本実施形態の光ファイバ装置１が、光源部２からの光が光学系１１を介して光ファイバ１３の光入射端面１３ａの中心に向けて集光されて、光ファイバ１３へと導かれる構成である場合について説明される。しかし、光源部２から射出される光が光ファイバ１３の光入射端面１３ａの中心近傍（すなわちコア部領域）に導かれる構成であれば、必ずしも光を集光するための光学系１１を備えなくても構わない。
【００２４】
そして、この複数の光源（２１，２２，２３）からの光は、光ファイバ１３内に導かれた後、光ファイバ１３の側面からの漏れ光４９として取り出され、例えば照明等に利用される。
【００２５】
光源２１は、レーザ素子やＬＥＤ素子といった、ランプよりも射出される光の波長域の狭い固体光源素子２１ａと、当該固体光源素子２１ａから射出された光を平行光に変換するコリメートレンズ２１ｂとを含む。光源２２も同様に、固体光源素子２２ａ及びコリメートレンズ２２ｂを含む。光源２３も同様に、固体光源素子２３ａ及びコリメートレンズ２３ｂを含む。なお、各光源（２１，２２，２３）がコリメートレンズ（２１ｂ，２２ｂ、２３ｂ）を備えるか否かは任意である。また、図１においては光軸を符号５で示している。なお、各光源（２１，２２，２３）は不図示の点灯回路から電流が供給され、当該電流量に応じた光量の光を射出する構成である。
【００２６】
本実施形態の光源装置１では、光ファイバ１３内を光が進行する間における減衰のしやすさ（しにくさ）の大小に応じて、光ファイバ１３の光入射端面１３ａにおける光の入射角度を異ならせている。より詳細には、光ファイバ１３内で減衰しやすい光ほど光入射端面１３ａにおける入射角度が小さくなるように、また、光ファイバ１３内で減衰しにくい光ほど光入射端面１３ａにおける入射角度が大きくなるように、光源部２は構成されている。
【００２７】
光入射端面１３ａにおける光の入射角度の調整は、図１のように集光用の光学系１１を備える構成においては、例えば光源（２１，２２，２３）の位置を調整して当該光学系１１に光が入射される位置を調整することで実現できる。なお、光源部２が不図示のミラーを備える場合には、このミラーの位置を調整することで光学系１１に光が入射される位置を調整するものとしても構わない。また、光学系１１を備えずに光源（２１，２２，２３）からの光が直接光ファイバ１３に入射される場合においても、光源（２１，２２，２３）や不図示のミラーの位置を調整することで、光入射端面１３ａにおける入射角度を調整することができる。
【００２８】
本実施形態の光源装置１では、一例として、光ファイバ１３をプラスチック製の光ファイバで構成している。そして、光源２１は青色光を射出する光源であり、光源２２は赤色光を射出する光源であり、光源２３は緑色光を射出する光源である。後述するように、プラスチック製の光ファイバにおいては、赤色光は青色光及び緑色光よりも減衰しやすく、青色光と緑色光の減衰のしやすさは同程度である。このため、図１に模式的に示すように、赤色光の光源２２からの射出光４２については、青色光の光源２１からの射出光４１及び緑色光の光源２３からの射出光４３に比べて、光入射端面１３ａにおける入射角度が小さくなるように各光源（２１，２２，２３）が配置されている。この実施形態では、赤色光の光源２２が「第一光源」に対応し、青色光の光源２１及び緑色光の光源２３が「第二光源」に対応する。
【００２９】
図２は、光学系１１の光入射端面を光軸方向に見た時の各光（４１，４２，４３）の入射位置を模式的に示す図面である。上述したように、本実施形態では、光学系１１によって各光源（２１，２２，２３）からの光が光ファイバ１３の光入射端面１３ａの中心に向けて集光される構成である。従って、光学系１１の光入射端面における入射位置と、光軸５との距離の長短によって、光入射端面１３ａにおける入射角度が変化する。図２の例では、光学系１１の光入射端面における光入射位置に関し、赤色光の光源２２からの射出光４２については光軸５に近い位置であり、青色光の光源２１からの射出光４１及び緑色光の光源２３からの射出光４３については、射出光４２に比べて光軸５から離れた位置となっている。図３は、図２の場合における、光ファイバ１３の光入射端面１３ａでの各射出光（４１，４２，４３）の入射角度（θ４１，θ４２，θ４３）を模式的に示す図面であり、θ４１及びθ４３に比べてθ４２が小さくなっていることが図示されている。
【００３０】
［検証］
このように、光入射端面１３ａにおける光の入射角度を、当該光の波長に応じて異ならせることで、光ファイバ１３内での光軸５の方向に係る発光色の変化が抑制される点につき、以下検証する。
【００３１】
（検証方法）
図４は、検証に用いた装置を模式的に示すブロック図である。本検証においては、光源部２、光伝送部材５１、光学系５２、アパーチャ５３、光学系１１、光ファイバ１３、及び輝度測定部５４が用いられる。
【００３２】
光源部２は、上述したように、赤色光、青色光、及び緑色光をそれぞれ射出することのできる複数の光源素子を備えている。なお、図４に示す検証装置では、光源部２からの射出光を、光伝送部材５１、光学系５２、及びアパーチャ５３を介して集光レンズとしての光学系１１へと導いている。光学系５２は、光伝送部材５１からの放射光を平行光にする目的で設けられている。アパーチャ５３は、スリット５６の位置を調整することのできる光学部材であり、このスリット５６の位置を変化させることで、光学系１１の光入射端面への光の入射位置が調整され、もって光ファイバ１３の光入射端面１３ａにおける光の入射角度が調整される。
【００３３】
輝度測定部５４は、光ファイバ１３の外側に配置されることで、当該配置箇所の近傍における光ファイバ１３の側面から射出される漏れ光の輝度を測定することができる。本検証では、後述するように、輝度測定部５４によって光ファイバ１３の測定箇所６０から射出される漏れ光の輝度を測定すると共に、光入射端面１３ａからの測定箇所６０までの距離６１と、測定された輝度の関係を調べた。
【００３４】
なお、本検証では、アパーチャ５３のスリット５６の間隔を０．２ｍｍとした。このアパーチャ５３によって光ファイバ１３に対して入射される光の量が制限される。よって、実際の検証においては、光源部２から入射される光量のパワーを予めパワーメータで測定しておき、輝度測定部５４で測定された輝度値を入射光量の値で規格化した値によって測定箇所６０毎の位置別の比較を行った．
【００３５】
（検証１）
光ファイバ１３として、プラスチック製光ファイバを用いた。プラスチック製光ファイバとは、コアにプラスチックを用い、クラッドにプラスチック特殊樹脂が用いられている光ファイバである。より具体的には、本検証１においては、光ファイバ１３として、コア径１２．６ｍｍ、クラッド径１３．５ｍｍ、ジャケット径１７．５ｍ、開口数０．６５の、ファイバ長１０ｍの住友スリーエム社製のプラスチック光ファイバ（製品型式：LF120HL）が用いられた。
【００３６】
図５は、（ａ）光源部２から赤色光のみを射出させた場合と、（ｂ）光源部２から緑色光のみを射出させた場合のそれぞれにおいて、入射角度θを変えながら測定箇所別の輝度の変化をプロットしたグラフである。ここでは、光源部２から射出される光に関し、赤色光については中心波長が６３８ｎｍの光が利用され、緑色光については中心波長が５２３ｎｍの光が利用された。
【００３７】
図５によれば、赤色光、緑色光の双方共に、光入射端面１３ａにおける光の入射角度を小さくすると、光ファイバ１３の光入射端面１３ａに近い位置における光ファイバ１３側面の輝度が低くなっている（すなわち漏れ光量が少なくなっている）ものの、光入射端面１３ａから遠ざかることによる輝度の低下の度合いは小さいことが分かる。これに対し、図５によれば、赤色光、緑色光の双方共に、光入射端面１３ａにおける光の入射角度を大きくすると、光ファイバ１３の光入射端面１３ａに近い位置における光ファイバ１３側面の輝度が高くなっている（すなわち漏れ光量が多くなっている）ものの、光入射端面１３ａから遠ざかることによる輝度の低下の度合いも大きいことが分かる。
【００３８】
つまり、図５によれば、光ファイバ１３の光入射端面１３ａにおける光の入射角度に応じて、光ファイバ１３内における輝度の低下の度合い（すなわち減衰率）も変化することが確認される。
【００３９】
図６は、図５で示した結果を曲線で近似したグラフである。各曲線は、輝度をＬ、光入射端面１３ａから測定箇所までの距離をｌとすると、所定の正の数α及びβを用いて、Ｌ＝αｅ−β・ｌという曲線で近似されることが確認された。ここで、βの大きさが近似曲線の傾きに対応しており、βの大きさが大きいほど、光入射端面１３ａから離れるに連れて輝度が大きく低下すること、すなわち減衰率が高いことを意味する。
【００４０】
図６によれば、赤色光、緑色光のいずれにおいても、入射角度θを大きくするほど輝度が減衰しやすくなっている（減衰率が高くなっている）ことが確認される。ただし、図６の両グラフを比較すると、同じ入射角度θにおいても、赤色光の方が緑色光よりも減衰しやすいことが示唆されている。例えば、入射角度θ＝１８．７°において、赤色光の近似曲線の傾きβの値は０．４１７であるのに対し、緑色光の近似曲線の傾きβの値は０．１７９である。このことから、本検証に用いた光ファイバ１３に、赤色光と緑色光を同じ入射角度で入射した場合、光入射端面１３ａから光軸５の方向に進むに連れ、緑色に比べて赤色の輝度が低下するため、光軸５の方向にわたって色が変化することが分かる。
【００４１】
一方、例えば本検証に用いた光ファイバ１３に、赤色光と緑色光を入射するに際し、光入射端面１３ａにおける赤色光の入射角度を７．５°とし、光入射端面１３ａにおける緑色光の入射角度を１８．７°とすると、赤色光の近似曲線の傾きβの値と緑色光の近似曲線の傾きβの値をほぼ一致させることができる。このとき、赤色光と緑色光の減衰率がほぼ一致するため、光ファイバ１３の光軸５方向にわたって発光色をほとんど均一にすることができる。
【００４２】
つまり、上記の検証によれば、光ファイバ１３内を光が進行することによる光量の減衰の程度は、光入射端面１３ａにおける光の入射角度及び光の波長に応じて変化する。よって、各光の光ファイバ１３内における減衰率がほぼ一致（又は近似）するように、光の波長に応じて光入射端面１３ａにおける光の入射角度を調整することが可能である。そして、このように光の入射角度を調整することで、光ファイバ１３内での各光の光量の減衰の程度を合わせられるため、光ファイバ１３内での光軸方向に係る発光色の変化を抑制することができる。
【００４３】
ここで、光軸５方向に係る光ファイバ１３内の発光色が等しくなるように、光ファイバ１３内における各色の光の減衰率を等しくさせる（若しくは近似させる）ものとするのが好適である。一例としては、各色をＣＩＥのｘｙ色度図上に表した場合に、マクアダムの楕円で３ステップ以内に含まれることをもって発光色が等しいと判断することができる。
【００４４】
（検証２）
検証１で用いた光ファイバ１３に対し、光入射端面１３ａにおける発光色がＤＣＩ規格上の白色、すなわちｘ＝０．３１４，ｙ＝０．３５１になるように，発光部２から出力３．０Ｗの赤色光、２．０Ｗの緑色光、１．３Ｗの青色光を射出させた。
【００４５】
そして、各光の光ファイバ１３の光入射端面１３ａにおける入射角度については、赤色光を７．５°とし、緑色光を１８．７°とし、青色光を１８．７°とした。このとき、光ファイバ１３の光入射端面１３ａから１０ｍ先の終端まで、２ｍ間隔で測定箇所６０における色度を色度計で測定したところ、全ての測定箇所において、光入射端面１３ａの発光色に対してマクアダムの楕円で３ステップ以内に色度があることが確認された。
【００４６】
（検証３）
光ファイバ１３として、複合材料系光ファイバを用いた。複合材料系光ファイバとは、コアに石英ガラスを用い、クラッドにシリコン樹脂や特殊フッ素樹脂が用いられている光ファイバである。より具体的には、光ファイバ１３として、コア径１ｍｍ、クラッド径１．０３５ｍｍ、コーティング径１．４ｍ、開口数０．３９の、ファイバ長１０ｍのFiberguide社製の複合材料系光ファイバ（製品型式：SPCH1000/1035/1400Z）を用いた。
【００４７】
そして、光入射端面１３ａにおける発光色がＤＣＩ規格上のシアンに近い色、すなわちｘ＝０．１２，ｙ＝０．３５になるように，発光部２から出力１．５Ｗの緑色光、１．２Ｗの青色光を射出させた。
【００４８】
そして、各光の光ファイバ１３の光入射端面１３ａにおける入射角度については、緑色光を１９°とし、青色光を７．５°とした。このとき、光ファイバ１３の光入射端面１３ａから１０ｍ先の終端まで、２ｍ間隔で測定箇所６０における色度を色度計で測定したところ、全ての測定位置で、光入射端面１３ａの発光色に対してマクアダムの楕円で３ステップ以内に色度があることが確認された。
【００４９】
すなわち、検証３で用いられた光ファイバ１３は、緑色光よりも青色光の方が減衰しやすい性質を有することが確認された。これに対し、検証１及び２で用いられた光ファイバ１３は、緑色光及び青色光は減衰のしやすさがほぼ同じであり、赤色光は、緑色光及び青色光よりも減衰しやすい性質を有することが確認された。つまり、光ファイバ１３の特性に応じて、減衰のしやすさの傾向が異なるため、この傾向に応じて光ファイバ１３の光入射端面１３ａにおける光の入射角度が決定される。
【００５０】
［別実施形態］
以下、別実施形態について説明する。
【００５１】
〈１〉  上記の実施形態では、光源部２から赤色光、緑色光及び青色光のうちの少なくとも２つの色の光が光ファイバ１３に入射される場合について説明したが、本発明は入射される光の色について限定されるものではなく、少なくとも２種類の波長の光が光ファイバ１３内において混合される場合に適用可能な技術である。
【００５２】
〈２〉  上述したように、光ファイバ１３内における各光の減衰率が等しくなるように、光ファイバ１３の光入射端面１３ａにおける各光の入射角度を調整するのが好ましい。しかし、必ずしも減衰率を完全に一致させる必要はなく、各光の減衰率の値の差が、所定の範囲内に留められていれば、光ファイバ１３の光軸５の方向に係る発光色の変化を抑制する効果が得られる。特に、この場合において、上述したように、光ファイバ１３の光入射端面１３ａにおける発光色と、光ファイバ１３の終端における発光色をそれぞれＣＩＥのｘｙ色度図上に表した場合に、マクアダムの楕円で３ステップ以内に含まれていれば、肉眼で色の変化を確認することができない程度に発光色の変化が抑制されているため、好ましい。
【符号の説明】
【００５３】
１      ：    光ファイバ装置
２      ：    光源部
５      ：    光軸
１１      ：    光学系
１３      ：    光ファイバ
１３ａ    ：    光ファイバの光入射端面
２１，２２，２３      ：    光源
２１ａ，２２ａ，２３ａ      ：    光源素子
２１ｂ，２２ｂ，２３ｂ      ：    コリメートレンズ
４１      ：    青色光
４２      ：    赤色光
４３      ：    緑色光
４９      ：    光ファイバの側面からの漏れ光
５０      ：    光源
５１      ：    光伝送部材
５２      ：    光学系
５３      ：    アパーチャ
５４      ：    輝度測定部
５６      ：    スリット
６０      ：    測定箇所
【図１】
0006390443.tif 000002
【図２】
0006390443.tif 000003
【図３】
0006390443.tif 000004
【図４】
0006390443.tif 000005
【図５】
0006390443.tif 000006
【図６】
0006390443.tif 000007